(57)【要約】【課題】毎週視聴したいテレビ番組を視聴し忘れたり、記録予約するのを忘れたりした場合でも、毎週視聴したいテレビ番組を確実に視聴することが可能になる情報記録再生装置を提供する。【解決手段】自動記録機能が設定されている場合、装置のチューナで受信したテレビ番組を視聴したり、テレビ番組を予約記録したりすると、当該テレビ番組の放送曜日と放送時間帯とチャンネルとを含む番組識別情報がフラッシュＲＯＭに記憶される。先週に視聴または予約記録されたテレビ番組を今週も記録する場合、フラッシュＲＯＭに記憶されている先週の番組識別情報に対応する今週のテレビ番組の記録開始時刻になったとき、記録開始させ、、その今週のテレビ番組がハードディスクに記録される。【選択図】図３
2008211408.tif 000002
【特許請求の範囲】
【請求項１】
装置側のチューナで選局されたテレビ番組やその他の情報を記録媒体に記録したり、記録媒体に記録されたテレビ番組やその他の情報を再生したりする情報記録再生装置において、
自動記録機能が設定されている場合に、当該テレビ番組が視聴されとき、または当該テレビ番組が予約記録されたときに、当該テレビ番組の放送曜日と放送時間帯とチャンネルとを含む番組識別情報をメモリに記憶する番組識別情報記憶手段と、
装置の主電源がオフされているとき、前記メモリに記憶されている先週の番組識別情報に対応する今週のテレビ番組の記録開始時刻になったとき、記録開始させ、その今週のテレビ番組を記録媒体に記録させる番組記録手段と、
前記主電源がオンされているとき、装置側のチューナの現在の設定チャンネルと先週の番組識別情報が示すチャンネルとを比較するチャンネル比較手段と、
前記比較結果が異なるチャンネルであることを示すとき、先週のテレビ番組とは異なるチャンネルのテレビ番組が視聴されていると判定する番組視聴判定手段と、
前記テレビ番組が視聴されていると判定された後、前記メモリに記憶されている先週の番組識別情報に対応する今週のテレビ番組の記録開始時刻になったとき、装置側のチューナを今週のテレビ番組が放送されるチャンネルに切り換えると共に、装置に接続されているテレビジョン受像機のチューナを現在視聴されているテレビ番組のチャンネルに切り換えるチャンネル切換手段と、
装置側のチューナが今週のテレビ番組の放送されるチャンネルに切り換えられた後、今週のテレビ番組を前記記録媒体に記録させるチャンネル切換後番組記録手段と、を有するシステムコントローラを備えたことを特徴とする情報記録再生装置。
【請求項２】
装置側のチューナで選局されたテレビ番組やその他の情報を記録媒体に記録したり、記録媒体に記録されたテレビ番組やその他の情報を再生したりする情報記録再生装置において、
自動記録機能が設定されている場合に、当該テレビ番組が視聴されとき、または当該テレビ番組が予約記録されたときに、当該テレビ番組の放送曜日と放送時間帯とチャンネルとを含む番組識別情報をメモリに記憶する番組識別情報記憶手段と、
装置の主電源がオフされているとき、前記メモリに記憶されている先週の番組識別情報に対応する今週のテレビ番組の記録開始時刻になったとき、記録開始させ、その今週のテレビ番組を記録媒体に記録させる番組記録手段と、を有するシステムコントローラを備えたことを特徴とする情報記録再生装置。
【請求項３】
前記主電源がオンされているとき、装置側のチューナの現在の設定チャンネルと先週の番組識別情報が示すチャンネルとを比較するチャンネル比較手段と、
前記比較結果が異なるチャンネルであることを示すとき、先週のテレビ番組とは異なるチャンネルのテレビ番組が視聴されていると判定する番組視聴判定手段と、
前記テレビ番組が視聴されていると判定された後、前記メモリに記憶されている先週の番組識別情報に対応する今週のテレビ番組の記録開始時刻になったとき、装置側のチューナを今週のテレビ番組が放送されるチャンネルに切り換えると共に、装置に接続されているテレビジョン受像機のチューナを現在視聴されているテレビ番組のチャンネルに切り換えるチャンネル切換手段と、
装置側のチューナが今週のテレビ番組の放送されるチャンネルに切り換えられた後、今週のテレビ番組を前記記録媒体に記録させるチャンネル切換後番組記録手段と、を有するシステムコントローラを備えたことを特徴とする請求項２に記載の情報記録再生装置。
【発明の詳細な説明】
【技術分野】
【０００１】
本発明は、装置側のチューナで選局されたテレビ番組やその他の情報を記録媒体に記録したり、記録媒体に記録されたテレビ番組やその他の情報を再生したりする情報記録再生装置に関し、特に、情報記録再生装置としてのハードディスク装置における自動記録機能に関する。
【背景技術】
【０００２】
近年、情報記録再生装置としてのハードディスク装置や光ディスク装置に接続して用いるテレビジョン受像機の表示画面の超高精細化は、液晶パネル製造技術の進歩によって著しく発展して、非常に膨大な情報量のビデオデータを高精細に表示することが可能になった。このようなテレビジョン受像機では、非常に多くのビデオデータおよびオーディオデータを情報記録再生装置から送信させるため、ＨＤＭＩ（High Definition Multimedia Interface）と言うインターフェイスが用いられている。
【０００３】
ＨＤＭＩは、情報記録再生装置からテレビジョン受像機やプロジェクタなどのレシーバ機器へビデオデータおよびオーディオデータを伝送するためのインターフェイスである。ＨＤＭＩは、従来の規格であるＤＶＩ（Digital Visual Interface for Computer）Ver1.0を拡張したものである。具体的には、ＤＶＩはビデオデータのみを送信する規格のインターフェイスであるのに対し、ＨＤＭＩは、ビデオデータの他、オーディオデータおよびその他のデータもひとつのケーブルで送信できる規格のインターフェイスである。更に、ＨＤＭＩは、高品質のマルチチャンネルのオーディオデータと高解像度の各種フォーマットのビデオデータの伝送が可能である。
【０００４】
ＨＤＭＩは、ＤＤＣ（Display Data Channel）通信により、各種の情報（モニタの情報、例えば、ＥＤＩＤデータ構造など）を伝送するのに用いられることも可能である。ＥＤＩＤ（Extended Display Identification Data）とは、レシーバ機器の受信可能な解像度、オーディオストリーム情報、ＨＤＭＩ受信部の持つスピーカ情報などがある。また、ＨＤＭＩは、ひとつのケーブルでビデオデータおよびオーディオデータを伝送することができ、複数ケーブル接続の煩わしさがなくなるという利点を有している。例えば、情報記録再生装置からＣＳＳ（Content Scrambling System）におけるコンテンツを出力する場合において、ＨＤＭＩは、ＣＰＡＣ（Copy Protection Advisory Council）により承認されている規格のインターフェイスである。
【０００５】
前記ＤＤＣとは、通信形式の名称であり、ビデオデータの表示条件やオーディオデータの条件のデータ以外に、ＨＤＭＩモニタに関する他のデータを併せて情報記録再生装置に送信するのに用いられる回線である。ＤＤＣは、情報記録再生装置内の通信線と接続されており、情報記録再生装置とＨＤＭＩモニタとの間の回線を確立させるために用いられる。前記ＣＳＳは、データを暗号化して記録し、再生時に復号化するシステムである。
【特許文献１】特開２００６−４９９３８号公報
【特許文献２】特開２００６−１３８４０号公報
【発明の開示】
【発明が解決しようとする課題】
【０００６】
ところで、テレビ番組を記録（録画）する場合、大量のデータを記録できるハードディスクが用いられることが多い。ハードディスクにテレビ番組を記録するために、前もってテレビ番組の記録予約（録画予約）を行いたい場合、従来からハードディスク装置では、テレビ番組の記録予約を行う記録予約機能を有している。
【０００７】
この記録予約機能を用いてテレビ番組の記録予約を行う場合、ユーザはリモコンを操作してディスプレイ装置に電子番組表（ＥＰＧ）を表示させ、その電子番組表から記録予約したいテレビ番組を選んで決定操作することにより、そのテレビ番組に対する記録予約が完了する。また、この記録予約は、電子番組表の詳細内容に表示されるＧコードや、新聞などに掲載された番組表に記載されたＧコードを用いて記録予約をすることもできる。
【０００８】
ところで、同じテレビ番組は、通常、毎週同じ曜日に繰り返されることが多く、ユーザは、自分の好みのテレビ番組を毎週視聴または予約記録したい場合がある。例えば、ユーザは、木曜日に、放送時間帯が７：００〜８：００であり、チャンネルが２ｃｈであるテレビ番組Ａを視聴または予約記録し、同じく木曜日に、放送時間帯が８：００−９：００であり、チャンネルが４ｃｈであるテレビ番組Ｂを視聴または予約記録する。また、ユーザは、金曜日に、放送時間帯が７：００〜８：００であり、チャンネルが１０ｃｈであるテレビ番組Ｃを視聴または予約記録し、同じく金曜日に、放送時間帯が９：００−１０：００であり、チャンネルが８ｃｈであるテレビ番組Ｄを視聴または予約記録する。また、ユーザは、土曜日に、放送時間帯が５：００〜６：００であり、チャンネルが６ｃｈであるテレビ番組Ｅを視聴または予約記録する。
【０００９】
例えば、ユーザが、前記テレビ番組Ａ，Ｂ，Ｃ，Ｄ，Ｅを先週に視聴または予約記録した場合、今週も前記テレビ番組Ａ，Ｂ，Ｃ，Ｄ，Ｅを視聴または予約記録したい場合がある。要するに、ユーザは、毎週同じテレビ番組を視聴または予約記録したい場合がある。しかしながら、従来の情報記録再生装置では、毎週同じテレビ番組を予約記録する場合でも、電子番組表やＧコードを用いて記録予約しなければならないので、記録予約の操作が面倒であり、また、記録予約を忘れた場合は、毎週視聴しているテレビ番組を視聴することができなくなると言う課題があった。
【００１０】
そこで、特許文献１に記載の記録装置では、現在から１週間前までに視聴された番組のチャンネルが１時間ごとに記憶され、また、１週間前から２週間前までに視聴された番組のチャンネルが１時間ごとに記憶され、１週間前と２週間前の同じ曜日の同じ時刻に、同じチャンネルの番組が視聴されていた場合には、当該チャンネルの番組が録画されるように構成されている。
【００１１】
しかし、この記録装置において、現在から１週間前までに視聴された番組のチャンネルが１時間ごとに記憶されるが、現在から１週間前までに視聴したくてもユーザの都合で視聴できない場合があり、この場合には、ユーザが視聴したい番組を録画予約（記録予約）により録画（記録）したい場合もあるので、現在から１週間前までに所望の番組の視聴を忘れた場合や、録画予約による録画が行われた場合には、この記録装置のように、１週間前と２週間前の同じ曜日の同じ時刻に、同じチャンネルの番組が視聴されていた場合には、当該チャンネルの番組が録画されると言う処理だけでは、毎週視聴したい番組を確実に録画できるとは言えない。
【００１２】
なお、特許文献２に記載の選局受信装置および選局方法では、前の週の同じ曜日の同じ時間帯に選局されたチャンネルが有るか否かを判断し、有る場合には、そのチャンネルを選局するようにしているが、ハードディスク装置などの情報記録再生装置により、毎週視聴したい番組を録画するものではない。
【００１３】
本発明は、上記のような課題を解決するためになされたもので、毎週視聴したいテレビ番組を視聴し忘れたり、記録予約するのを忘れたりした場合でも、毎週視聴したいテレビ番組を確実に視聴することが可能になる情報記録再生装置を提供することを目的とする。
【課題を解決するための手段】
【００１４】
上記目的を達成するために、請求項１の発明は、自動記録機能が設定されている場合に、当該テレビ番組が視聴されとき、または当該テレビ番組が予約記録されたときに、当該テレビ番組の放送曜日と放送時間帯とチャンネルとを含む番組識別情報をメモリに記憶する番組識別情報記憶手段と、装置の主電源がオフされているとき、前記メモリに記憶されている先週の番組識別情報に対応する今週のテレビ番組の記録開始時刻になったとき、記録開始させ、、その今週のテレビ番組を記録媒体に記録させる番組記録手段と、前記主電源がオンされているとき、装置側のチューナの現在の設定チャンネルと先週の番組識別情報が示すチャンネルとを比較するチャンネル比較手段と、前記比較結果が異なるチャンネルであることを示すとき、先週のテレビ番組とは異なるチャンネルのテレビ番組が視聴されていると判定する番組視聴判定手段と、前記テレビ番組が視聴されていると判定された後、前記メモリに記憶されている先週の番組識別情報に対応する今週のテレビ番組の記録開始時刻になったとき、装置側のチューナを今週のテレビ番組が放送されるチャンネルに切り換えると共に、装置に接続されているテレビジョン受像機のチューナを現在視聴されているテレビ番組のチャンネルに切り換えるチャンネル切換手段と、装置側のチューナが今週のテレビ番組の放送されるチャンネルに切り換えられた後、今週のテレビ番組を前記記録媒体に記録させるチャンネル切換後番組記録手段とを有するシステムコントローラを備えたことを特徴とする情報記録再生装置を提供する。
【００１５】
この構成において、自動記録機能が設定されている状態において、ユーザは、リモコンを操作して、チューナで選局した所望のテレビ番組を視聴したり、所望のテレビ番組を記録予約による予約記録したりすると、番組識別情報記憶手段は、当該テレビ番組の放送曜日と放送時間帯とチャンネルとを含む番組識別情報をメモリに記憶する。
【００１６】
ここで、情報記録再生装置の主電源がオフされていて、先週に視聴または予約記録されたテレビ番組を今週も記録する場合の処理について説明する。情報記録再生装置の主電源がオフされているとき、番組記録手段は、メモリに記憶されている先週の番組識別情報に対応する今週のテレビ番組の記録開始時刻になったとき、記録開始させ、その今週のテレビ番組を記録媒体に記録させる。
【００１７】
次に、情報記録再生装置の主電源がオンされていて、先週に視聴または予約記録されたテレビ番組を今週も記録する場合の処理について説明する。情報記録再生装置の主電源がオンされているとき、チャンネル比較手段は、チューナの現在の設定チャンネルと、メモリに記憶されている先週の番組識別情報が示すチャンネルとを比較する。前記比較結果が異なるチャンネルであることを示すとき、番組視聴判定手段は、先週のテレビ番組とは異なるチャンネルのテレビ番組が視聴されていると判定する。
【００１８】
前記テレビ番組が視聴されていると判定された後、チャンネル切換手段は、メモリに記憶されている先週の番組識別情報に対応する今週のテレビ番組の記録開始時刻になったとき、記録開始させ、チューナを今週のテレビ番組が放送されるチャンネルに切り換えると共に、テレビジョン受像機のチューナを現在視聴されているテレビ番組のチャンネルに切り換える。このように情報記録再生装置のチューナが、今週のテレビ番組の放送されるチャンネルに切り換えられた後、チャンネル切換後番組記録手段は、メモリに記録されている先週の番組識別情報に対応する今週のテレビ番組を記録媒体に記録させる。
【００１９】
この構成によれば、メモリに記憶された番組識別情報を用いることにより、先週のテレビ番組と同じ曜日、同じ放送時間帯、同じチャンネルのテレビ番組が、今週のテレビ番組として記録媒体に記録されることになるので、毎週視聴したいテレビ番組を視聴し忘れたり、記録予約するのを忘れたりした場合でも、毎週視聴したいテレビ番組を確実に視聴することが可能になる。また、装置の電源がオンされて、他のテレビ番組を視聴しているときでも、メモリに記憶されている先週の番組識別情報に対応する今週のテレビ番組の記録開始時刻になったとき、記録開始させ、装置側のチューナを今週のテレビ番組が放送されるチャンネルに切り換え、今週のテレビ番組を記録し、また、他のテレビ番組を、そのままテレビジョン受像機のチューナで受信して、継続して視聴することができる。
【００２０】
請求項２の発明は、装置側のチューナで選局されたテレビ番組やその他の情報を記録媒体に記録したり、記録媒体に記録されたテレビ番組やその他の情報を再生したりする情報記録再生装置において、自動記録機能が設定されている場合に、当該テレビ番組が視聴されとき、または当該テレビ番組が予約記録されたときに、当該テレビ番組の放送曜日と放送時間帯とチャンネルとを含む番組識別情報をメモリに記憶する番組識別情報記憶手段と、装置の主電源がオフされているとき、前記メモリに記憶されている先週の番組識別情報に対応する今週のテレビ番組の記録開始時刻になったとき、記録開始させ、その今週のテレビ番組を記録媒体に記録させる番組記録手段とを有するシステムコントローラを備えたことを特徴とする情報記録再生装置を提供する。
【００２１】
この構成において、自動記録機能が設定されている状態において、ユーザは、リモコンを操作して、チューナで選局した所望のテレビ番組を視聴したり、所望のテレビ番組を記録予約による予約記録したりすると、番組識別情報記憶手段は、当該テレビ番組の放送曜日と放送時間帯とチャンネルとを含む番組識別情報をメモリに記憶する。
【００２２】
ここで、情報記録再生装置の主電源がオフされていて、先週に視聴または予約記録されたテレビ番組を今週も記録する場合の処理について説明する。情報記録再生装置の主電源がオフされているとき、番組記録手段は、メモリに記憶されている先週の番組識別情報に対応する今週のテレビ番組の記録開始時刻になったとき、記録開始させ、その今週のテレビ番組を記録媒体に記録させる。
【００２３】
この構成によれば、メモリに記憶された番組識別情報を用いることにより、先週のテレビ番組と同じ曜日、同じ放送時間帯、同じチャンネルのテレビ番組が、今週のテレビ番組として記録媒体に記録されることになるので、毎週視聴したいテレビ番組を視聴し忘れたり、記録予約するのを忘れたりした場合でも、毎週視聴したいテレビ番組を確実に視聴することが可能になる。
【００２４】
請求項３の発明では、請求項２の発明において、装置の主電源がオンされているとき、装置側のチューナの現在の設定チャンネルと先週の番組識別情報が示すチャンネルとを比較するチャンネル比較手段と、前記比較結果が異なるチャンネルであることを示すとき、先週のテレビ番組とは異なるチャンネルのテレビ番組が視聴されていると判定する番組視聴判定手段と、前記テレビ番組が視聴されていると判定された後、前記メモリに記憶されている先週の番組識別情報に対応する今週のテレビ番組の記録開始時刻になったとき、記録開始させ、、装置側のチューナを今週のテレビ番組が放送されるチャンネルに切り換えると共に、装置に接続されているテレビジョン受像機のチューナを現在視聴されているテレビ番組のチャンネルに切り換えるチャンネル切換手段と、装置側のチューナが今週のテレビ番組の放送されるチャンネルに切り換えられた後、今週のテレビ番組を前記記録媒体に記録させるチャンネル切換後番組記録手段とを有するシステムコントローラを備えたことを特徴とするものである。
【００２５】
この構成において、情報記録再生装置の主電源がオンされていて、先週に視聴または予約記録されたテレビ番組を今週も記録する場合の処理について説明する。情報記録再生装置の主電源がオンされているとき、チャンネル比較手段は、チューナの現在の設定チャンネルと、メモリに記憶されている先週の番組識別情報が示すチャンネルとを比較する。前記比較結果が異なるチャンネルであることを示すとき、番組視聴判定手段は、先週のテレビ番組とは異なるチャンネルのテレビ番組が視聴されていると判定する。
【００２６】
前記テレビ番組が視聴されていると判定された後、チャンネル切換手段は、メモリに記憶されている先週の番組識別情報に対応する今週のテレビ番組の記録開始時刻になったとき、チューナを今週のテレビ番組が放送されるチャンネルに切り換えると共に、テレビジョン受像機のチューナを現在視聴されているテレビ番組のチャンネルに切り換える。このように情報記録再生装置のチューナが、今週のテレビ番組の放送されるチャンネルに切り換えられた後、チャンネル切換後番組記録手段は、メモリに記録されている先週の番組識別情報に対応する今週のテレビ番組を記録媒体に記録させる。
【００２７】
この構成によれば、装置の電源がオンされて、他のテレビ番組を視聴しているときでも、メモリに記憶されている先週の番組識別情報に対応する今週のテレビ番組の記録開始時刻になったとき、記録開始させ、、装置側のチューナを今週のテレビ番組が放送されるチャンネルに切り換えて、今週のテレビ番組を記録し、また、他のテレビ番組を、そのままテレビジョン受像機のチューナで受信して、継続して視聴することができる。
【発明の効果】
【００２８】
以上のように本発明によれば、自動記録機能が設定されている場合に、当該テレビ番組が視聴されとき、または当該テレビ番組が予約記録されたときに、当該テレビ番組の放送曜日と放送時間帯とチャンネルとを含む番組識別情報をメモリに記憶する番組識別情報記憶手段と、装置の主電源がオフされているとき、前記メモリに記憶されている先週の番組識別情報に対応する今週のテレビ番組の記録開始時刻になったとき、記録開始させ、、その今週のテレビ番組を記録媒体に記録させる番組記録手段と、前記主電源がオンされているとき、装置側のチューナの現在の設定チャンネルと先週の番組識別情報が示すチャンネルとを比較するチャンネル比較手段と、前記比較結果が異なるチャンネルであることを示すとき、先週のテレビ番組とは異なるチャンネルのテレビ番組が視聴されていると判定する番組視聴判定手段と、前記テレビ番組が視聴されていると判定された後、前記メモリに記憶されている先週の番組識別情報に対応する今週のテレビ番組の記録開始時刻になったとき、装置側のチューナを今週のテレビ番組が放送されるチャンネルに切り換えると共に、装置に接続されているテレビジョン受像機のチューナを現在視聴されているテレビ番組のチャンネルに切り換えるチャンネル切換手段と、装置側のチューナが今週のテレビ番組の放送されるチャンネルに切り換えられた後、今週のテレビ番組を前記記録媒体に記録させるチャンネル切換後番組記録手段とを有するシステムコントローラを備えたので、先週のテレビ番組と同じ曜日、同じ放送時間帯、同じチャンネルのテレビ番組が、今週のテレビ番組として記録媒体に記録でき、これにより、毎週視聴したいテレビ番組を視聴し忘れたり、記録予約するのを忘れたりした場合でも、毎週視聴したいテレビ番組を確実に視聴することが可能になる。
【００２９】
また、装置の電源がオンされて、他のテレビ番組を視聴しているときでも、メモリに記憶されている先週の番組識別情報に対応する今週のテレビ番組の記録開始時刻になったとき、装置側のチューナを今週のテレビ番組が放送されるチャンネルに切り換え、今週のテレビ番組を記録し、また、他のテレビ番組を、そのままテレビジョン受像機のチューナで受信して、継続して視聴することができる。
【００３０】
また、本発明によれば、装置側のチューナで選局されたテレビ番組やその他の情報を記録媒体に記録したり、記録媒体に記録されたテレビ番組やその他の情報を再生したりする情報記録再生装置において、自動記録機能が設定されている場合に、当該テレビ番組が視聴されとき、または当該テレビ番組が予約記録されたときに、当該テレビ番組の放送曜日と放送時間帯とチャンネルとを含む番組識別情報をメモリに記憶する番組識別情報記憶手段と、装置の主電源がオフされているとき、前記メモリに記憶されている先週の番組識別情報に対応する今週のテレビ番組の記録開始時刻になったとき、記録開始させ、、その今週のテレビ番組を記録媒体に記録させる番組記録手段とを有するシステムコントローラを備えたので、先週のテレビ番組と同じ曜日、同じ放送時間帯、同じチャンネルのテレビ番組が、今週のテレビ番組として記録媒体に記録でき、これにより、毎週視聴したいテレビ番組を視聴し忘れたり、記録予約するのを忘れたりした場合でも、毎週視聴したいテレビ番組を確実に視聴することが可能になる。
【発明を実施するための最良の形態】
【００３１】
以下、添付図面を参照しつつ、本発明の実施の形態について説明する。図１は本発明の一実施形態に係る情報記録再生装置としてのハードディスク装置およびレシーバ機器としてのテレビジョン受像機の構成を示すブロック図である。
【００３２】
図１において、ハードディスク装置１は、装置全体を制御するＣＰＵなどを含むシステムコントローラ１１と、アンテナＡを介して受信したテレビ放送信号から所望の放送局の映像音声信号を抽出するチューナ１７と、このチューナ１７からの映像音声信号を復調する復調部１８と、前記復調された映像音声信号を圧縮処理し映像音声データとしてハードディスク１９に記録したり、ハードディスク１９に記録された映像音声データを伸張処理し映像音声信号を再生したりする記録再生部１５と、リモコン４から送信されてきたリモコンコードを受信するリモコン受信部１２と、ＨＤＭＩ（High Definition Multimedia Interface）ケーブル３によって接続されるテレビジョン受像機２のメーカ名とリモコンコードとの対応関係を示すテーブルなどを記憶したフラッシュＲＯＭ１３と、文字情報をテレビジョン受像機２に表示させるＯＳＤ（On Screen Display ）部１４と、ＨＤＭＩケーブル３を介してテレビジョン受像機２と通信を行うＨＤＭＩ通信部１６とを備えている。
【００３３】
テレビジョン受像機２は、受像機全体を制御するＣＰＵなどを含む制御部２１と、アンテナＡを介して受信したテレビ放送信号から所望の放送局の映像音声信号を抽出するチューナ２６と、このチューナ２６からの映像音声信号を復調する復調部２７と、制御部２１の制御プログラムや受像機のメーカ名を含む所定形式の識別子データを有するＥＤＩＤ（Extended Display Identification Data）などを記憶したフラッシュＲＯＭ２２と、映像回路およびディスプレイ装置などを含み復調部２７からの映像信号を入力して映像を表示する映像表示部２３と、音声回路およびスピーカなどを含み復調部２７からの音声信号を入力して音声を出力する音声出力部２４と、ＨＤＭＩケーブル３を介してハードディスク装置１と通信を行うＨＤＭＩ通信部２５とを備えている。
【００３４】
リモコン４は、リモコン全体を制御するＣＰＵなどを含む制御部４１と、操作キー番号が予め割り当てられハードディスク装置１やテレビジョン受像機２を遠隔操作する複数の操作キーが設けられた操作パネル４２と、操作パネル４２の操作キーに対応したリモコンコードをハードディスク装置１に送信するリモコン送信部４３と、複数のリモコンコードを操作パネル４２の操作キーの操作キー番号に対応したアドレスに記憶するフラッシュＲＯＭ４４とを備えている。
【００３５】
システムコントローラ１１は、自動記録機能が設定されている場合に、当該テレビ番組が視聴されとき、または当該テレビ番組が予約記録されたときに、当該テレビ番組の放送曜日と放送時間帯とチャンネルとを含む番組識別情報をフラッシュＲＯＭ１３に記憶する番組識別情報記憶手段と、装置の主電源がオフされているとき、フラッシュＲＯＭ１３に記憶されている先週の番組識別情報に対応する今週のテレビ番組の記録開始時刻になったとき、記録開始させ、その今週のテレビ番組を記録媒体に記録させる番組記録手段と、前記主電源がオンされているとき、装置側のチューナ１７の現在の設定チャンネルと先週の番組識別情報が示すチャンネルとを比較するチャンネル比較手段と、前記比較結果が異なるチャンネルであることを示すとき、先週のテレビ番組とは異なるチャンネルのテレビ番組が視聴されていると判定する番組視聴判定手段と、前記テレビ番組が視聴されていると判定された後、フラッシュＲＯＭ１３に記憶されている先週の番組識別情報に対応する今週のテレビ番組の記録開始時刻になったとき、装置側のチューナ１７を今週のテレビ番組が放送されるチャンネルに切り換えると共に、装置に接続されているテレビジョン受像機２のチューナ２６を現在視聴されているテレビ番組のチャンネルに切り換えるチャンネル切換手段と、装置側のチューナ１７が今週のテレビ番組の放送されるチャンネルに切り換えられた後、今週のテレビ番組を前記記録媒体に記録させるチャンネル切換後番組記録手段とを有する。
【００３６】
図２は本実施形態においてリモコンのキー配置の一例を示す図である。図２において、リモコン４の操作パネル４２には、ＴＶ電源キー４０１、ＨＤＤ電源キー４０２、音量キー４０３、複数の数字キー４０４、ＨＤＤモード切換キー４０５、ＴＶモード切換キー４０６、再生リストキー４０７、メニューキー４０８、上方向キー４０９、下方向キー４１０、左方向キー４１１、右方向キー４１２、決定キー４１３、早戻しキー４１４、停止キー４１５、再生キー４１６、早送りキー４１７などが配置されている。なお、ここでのキーの配置や個数は一例であるので、これに限ることはない。
【００３７】
図３は本実施形態において先週に視聴または予約記録したテレビ番組の放送曜日と放送時間帯とチャンネルを示すと共に今週に記録したテレビ番組の放送曜日と放送時間帯とチャンネルを示す図である。
【００３８】
図３において、枠ａには、先週に視聴または予約記録したテレビ番組の放送曜日と放送時間帯とチャンネルが示される。例えば、先週の木曜日に視聴または記録したテレビ番組は、放送時間帯が７：００〜８：００であり、チャンネルが２ｃｈであり、また、放送時間帯が８：００−９：００であり、チャンネルが４ｃｈであることを示す。先週の金曜日に視聴または記録したテレビ番組は、放送時間帯が７：００〜８：００であり、チャンネルが１０ｃｈであり、また、放送時間帯が９：００−１０：００であり、チャンネルが８ｃｈであることを示す。先週の土曜日に視聴または記録したテレビ番組は、放送時間帯が５：００〜６：００であり、チャンネルが６ｃｈであることを示す。
【００３９】
枠ｂには、今週に記録したテレビ番組の放送曜日と放送時間帯とチャンネルが示される。例えば、今週の木曜日に記録したテレビ番組は、放送時間帯が７：００〜８：００であり、チャンネルが２ｃｈであり、また、放送時間帯が８：００−９：００であり、チャンネルが４ｃｈであることを示す。今週の金曜日に記録したテレビ番組は、放送時間帯が７：００〜８：００であり、チャンネルが１０ｃｈであり、また、放送時間帯が９：００−１０：００であり、チャンネルが８ｃｈであることを示す。今週の土曜日に記録したテレビ番組は、放送時間帯が５：００〜６：００であり、チャンネルが６ｃｈであることを示す。
【００４０】
枠ａに示される内容と枠ｂに示される内容とから分かるように、先週に視聴または記録されたテレビ番組は、今週も自動的に記録されることになる。例えば、先週の木曜日に、放送時間帯が７：００〜８：００で、チャンネルが２ｃｈのテレビ番組を視聴するために、ハードディスク装置１の主電源をオンし、チューナ１７で選局して、そのテレビ番組をテレビジョン受像機２に映像出力および音声出力したとすると、今週の木曜日の７時になれば、２ｃｈのテレビ番組が７時から８時まで記録される。また、そのテレビ番組を予約記録した場合も、同様に今週の木曜日の７時になれば、２ｃｈのテレビ番組が７時から８時まで記録される。
【００４１】
図４は本実施形態においてテレビ番組を自動的に記録する自動記録機能が設定されている場合の処理を説明するためのフローチャートである。このフローチャートおよび図１〜図３を参照して自動記録機能が設定されている場合の処理について説明する。
【００４２】
先ず、ユーザは、リモコン４の電源キー４０１を押下してテレビジョン受像機２の主電源をオンすると共に、ＨＤＤ電源キー４０２を押下してハードディスク装置１の主電源をオンする。次に、ＨＤＤモード切換キー４０５を押下して、リモコン４をＨＤＤモードに切り換えると共に、テレビジョン受像機２の入力モードをビデオモードに切り換える。これにより、テレビジョン受像機２は、ハードディスク装置１からの映像音声信号や文字信号などを入力して、映像や文字を出力したり、音声を出力したりすることが可能になる。
【００４３】
ここで、ユーザは、自動記録機能を設定するため、リモコン４のメニューキー４０８を押下して、テレビジョン受像機２の映像表示部２３に各種機能のメニューを示す機能メニュー画面を表示させ、この機能メニュー画面の中から自動録画機能の項目を、リモコン４における上方向キー４０９、下方向キー４１０、左方向キー４１１、右方向キー４１２、決定キー４１３などの操作により、選択して決定する。これにより、ハードディスク装置１のシステムコントローラ１１は、自動記録機能が設定されたことを検知する（ステップＳ１）。
【００４４】
このようにして自動記録機能が設定されている状態において、ユーザは、リモコン４を操作して、チューナ１７で選局した所望のテレビ番組を視聴したり、所望のテレビ番組を予約記録させたりすると（ステップＳ２）、システムコントローラ１１の番組識別情報記憶手段は、当該テレビ番組の放送曜日と放送時間帯とチャンネルとを含む番組識別情報をフラッシュＲＯＭ１３に記憶する（ステップＳ３）。
【００４５】
所望のテレビ番組を視聴した後、ユーザがリモコン４のＨＤＤ電源キー４０２とＴＶ電源キー４０１を押下して、ハードディスク装置１の主電源とテレビジョン受像機２の主電源をオフする。また、所望のテレビ番組の予約記録が終ると、ハードディスク装置１のシステムコントローラ１１は、ハードディスク装置１の主電源をオフする。
【００４６】
前記ステップ３の処理においてフラッシュＲＯＭ１３に記憶された番組識別情報は、例えば、図３に示すように、先週のテレビ番組の放送曜日と放送時間帯とチャンネルとを含む番組識別情報である。
【００４７】
ここで、ハードディスク装置１の主電源がオフされていて、先週に視聴または予約記録されたテレビ番組を今週も記録する場合の処理について説明する。
【００４８】
ハードディスク装置１の主電源がオフされているとき（ステップＳ４）、システムコントローラ１１の番組記録手段は、図示しないタイマで計時されている現在時刻が、フラッシュＲＯＭ１３に記憶されている先週の番組識別情報に対応する今週のテレビ番組の記録開始時刻（放送時間帯の放送開始時刻）になったとき（ステップＳ５）、記録再生部１５を記録動作させ、その今週のテレビ番組をハードディスク１９に記録させる（ステップＳ６）。そして、自動記録機能が解除されない限り（ステップＳ７）、ステップＳ２の処理に戻り、同様な処理が行われる。
【００４９】
次に、ハードディスク装置１の主電源がオンされていて、先週に視聴または予約記録されたテレビ番組を今週も記録する場合の処理について説明する。
【００５０】
ハードディスク装置１の主電源がオンされているとき（ステップＳ４）、システムコントローラ１１のチャンネル比較手段は、チューナ１７の現在の設定チャンネルと、フラッシュＲＯＭ１３に記憶されている先週の番組識別情報が示すチャンネルとを比較する（ステップＳ８）。前記比較結果が異なるチャンネルであることを示すとき、システムコントローラ１１の番組視聴判定手段は、先週のテレビ番組とは異なるチャンネルのテレビ番組が視聴されていると判定する（ステップＳ９）。
【００５１】
前記テレビ番組が視聴されていると判定された後、システムコントローラ１１のチャンネル切換手段は、図示しないタイマで計時されている現在時刻が、フラッシュＲＯＭ１３に記憶されている先週の番組識別情報に対応する今週のテレビ番組の記録開始時刻（放送時間帯の放送開始時刻）になったとき（ステップＳ１０）、チューナ１７を今週のテレビ番組が放送されるチャンネルに切り換えると共に、テレビジョン受像機２のチューナ２６を現在視聴されているテレビ番組のチャンネルに切り換える（ステップＳ１１）。
【００５２】
このようにしてハードディスク装置１のチューナ１７が、今週のテレビ番組の放送されるチャンネルに切り換えられた後、システムコントローラ１１のチャンネル切換後番組記録手段は、記録再生部１５を記録動作させ、フラッシュＲＯＭ１３に記録されている先週の番組識別情報に対応する今週のテレビ番組をハードディスク１９に記録させる（ステップＳ６）。そして、自動記録機能が解除されない限り（ステップＳ７）、ステップＳ２の処理に戻り、同様な処理が行われる。
【００５３】
自動記録機能を解除する場合は、リモコン４のメニューキー４０８を押下して、テレビジョン受像機２の映像表示部２３に各種機能のメニューを示す機能メニュー画面を表示させ、この機能メニュー画面の中から自動録画機能の項目を、リモコン４における上方向キー４０９、下方向キー４１０、左方向キー４１１、右方向キー４１２、決定キー４１３などの操作により、選択して解除する。これにより、ハードディスク装置１のシステムコントローラ１１は、自動記録機能が解除されたことを検知し（ステップＳ７）、本処理を終了する。
【００５４】
以上のような処理により、例えば、図３の枠ａに示す番組識別情報が示す先週のテレビ番組が、枠ｂに示す番組識別情報が示すように、先週のテレビ番組と同じ曜日、同じ放送時間帯、同じチャンネルのテレビ番組が、今週のテレビ番組としてハードディスク１９に記録されることになる。
【００５５】
以上説明したように本実施形態によれば、フラッシュＲＯＭ１３に記憶された番組識別情報を用いることにより、先週のテレビ番組と同じ曜日、同じ放送時間帯、同じチャンネルのテレビ番組が、今週のテレビ番組としてハードディスク１９に記録されることになるので、毎週視聴したいテレビ番組を視聴し忘れたり、記録予約するのを忘れたりした場合でも、毎週視聴したいテレビ番組を確実に視聴することが可能になる。また、装置の電源がオンされて、他のテレビ番組を視聴しているときでも、フラッシュＲＯＭ１３に記憶されている先週の番組識別情報に対応する今週のテレビ番組の記録開始時刻になったとき、装置側のチューナ１７を今週のテレビ番組が放送されるチャンネルに切り換えて、今週のテレビ番組を記録し、また、他のテレビ番組を、そのままテレビジョン受像機２のチューナ２６で受信して、継続して視聴することができる。
【産業上の利用可能性】
【００５６】
本発明は、ハードディスク装置や光ディスク装置などの情報記録再生装置の番組記録予約機能に利用可能であり、ユーザが毎週視聴するテレビ番組を自動的に記録することが可能になる。
【図面の簡単な説明】
【００５７】
【図１】本発明の一実施形態に係る情報記録再生装置としてのハードディスク装置およびレシーバ機器としてのテレビジョン受像機の構成を示すブロック図である。
【図２】前記実施形態においてリモコンのキー配置の一例を示す図である。
【図３】前記実施形態において先週に視聴または予約記録したテレビ番組の放送曜日と放送時間帯とチャンネルを示すと共に今週に記録したテレビ番組の放送曜日と放送時間帯とチャンネルを示す図である。
【図４】前記実施形態においてテレビ番組を自動的に記録する自動記録機能が設定されている場合の処理を説明するためのフローチャートである。
【符号の説明】
【００５８】
１    ハードディスク装置（情報記録再生装置）
２    テレビジョン受像機
１１    システムコントローラ
１３    フラッシュＲＯＭ（メモリ）
１７    チューナ（装置側のチューナ）
１９    ハードディスク（記録媒体）
２６    チューナ（テレビジョン受像機のチューナ）
【図１】
2008211408.tif 000003
【図２】
2008211408.tif 000004
【図３】
2008211408.tif 000005
【図４】
2008211408.tif 000006